(57)【要約】      （修正有） 【課題】草履の形を一定にして、芯紐の外れがなく編むことができ、足の指への負担を軽くし、どこへでも手軽に持ち運びできて、どこででも草履を編める草履編器を提供する。【解決手段】基台Ａの引っ掛け棒２に芯紐Ｓ１〜Ｓ４のループ状部３を掛けることで草履の形を保って編め、引っ掛け棒に固定棒Ｂを差し込むことで芯紐の外れがなくなり。押さえ手段を用いることで、基台から固定棒は外れなくなり、安心して力をいれて草履を編むことができる。基台の下部の孔に通した紐８をテーブルに設置した金具等１３に掛けることで、編器を保持し、椅子に座って作業ができ、足を使わずにすむ。床に座って編む場合には、固定棒の端に靴下を履いたままの足を軽く乗せて置くだけでよく、足の指への負担をなくせる。【選択図】図５
0003145630.tif 000002
【実用新案登録請求の範囲】
【請求項１】
基台と,この基台の長手方向に等間隔に複数本直立すると共に、草履の芯紐のループ状部を一定幅にて引っ掛けられる引掛棒と、この各々の引掛棒が差し込まれる孔を有すると共に、前記基台との間で草履の芯紐のループ状部を挟む固定棒とよりなる草履編器。
【請求項２】
基台と固定棒とを押さえ手段を用いて固定することを特徴とする請求項１記載の草履編器。
【請求項３】
押さえ手段が紐としたことを特徴とする請求項２記載の草履編器。    
【請求項４】
基台は下部の両端に貫通孔を有し、この孔に押え手段の紐の両端を手前から通して、その先端にて紐の両端を結ぶと共に、紐の輪部をテーブルに設置した金具等に掛けて、草履編器をテーブル上で保持させることを特徴とする請求項３記載の草履編器。
【考案の詳細な説明】
【技術分野】
【０００１】
本考案は、草履を手編みする際に使用する編器に関するものである。
【背景技術】
【０００２】
最近、健康布草履と銘打って、素足に布製の草履を履くことが好まれるようになり自分で布草履を作りたいという希望者が増えてきている。従来、この布草履は布を紐状にして使用し、床に座って草鞋を編む要領で 両足の素足の指に掛けて編んでいるが、この編み方では編み手の足の指への負担が大きく、草履の大きさや形を一定に保って編むことができるのは熟練者に限られていた。また市販されるようになってきたので、よく見かけられる草履の作業台の多くは突起物に芯紐を引っ掛けて編んでいるが芯紐が外れることがあり作業を中断せざるをえないことがある。而も、床の上に座ってだけでとか、椅子に座ってテーブル上だけでとか編む場所が限定され、又、大きくて持ち運びが困難であったりして、いつでもどこででも草履を編めるわけではなかった。
【考案の開示】
【考案が解決しようとする課題】
【０００３】
本考案が解決しようとする課題は、従来の問題点を解消し、草履の形を一定に保ち、而も芯紐の外れがなく編むことができ、尚且つ編み手の足の指への負担を軽くすると共に、どこへでも手軽に持ち運びできて、どこででも草履を編める草履編器を提供することにある。
【課題を解決するための手段】
【０００４】
かかる課題を解決した本考案は,基台と、この基台の長手方向に等間隔に複数本直立すると共に、草履の芯紐のループ状部を一定幅にて引っ掛けられる引掛棒に、ループ状部を引っ掛けることにより草履の形を一定に保って編める草履編器である。
更に、この引掛棒に、この各々の引掛棒が差し込まれる孔を有すると共に前記基台との間で草履の芯紐のループ状部を挟む固定棒を差し込み、基台と固定棒の間で草履の芯紐のループ状部を挟み、芯紐の外れをなくする草履編器である。
又、基台と固定棒とを押さえ手段を用いて固定することで、基台から固定棒も外れることがなくなる草履編器である。
更に、基台は下部の両端に貫通孔を有し、この孔に押え手段の紐の両端を手前から通して、その先端にて紐の両端を結ぶと共に、紐の輪部をテーブルに設置した金具等に掛けて、草履編器をテーブル上で保持させることにより、編み手は椅子に座って作業ができる草履編器である。
【考案の効果】
【０００５】
本考案によれば、以下の効果を奏する。
本考案は請求項１により、基台と、この基台の長手方向に等間隔に複数本直立すると共に、草履の芯紐のループ状部を一定幅にて引っ掛けられる引掛棒に、芯紐のループ状部を引っ掛けると草履の形を一定に保って編める。
更に、この引掛棒に、この各々の引掛棒が差し込まれる孔を有すると共に、前記基台との間で草履の芯紐のループ状部を挟む固定棒を差し込み、基台と固定棒の間に芯紐のループ状部を挟むことで芯紐の外れがなくなり、作業を中断されることがない。
又、請求項２により基台と固定棒とを押さえ手段を用いて固定することで基台から固定棒も外れることがなくなり、安心して力を入れての作業ができる。
更に、請求項３をもちいて、請求項４により、基台は下部の両端に貫通孔を有し、この孔に押え手段の紐の両端を手前から通して、その先端にて紐の両端を結ぶと共に、紐の輪部をテーブルに設置した金具等に掛けて、草履編器をテーブル上で保持させることで、編み手は椅子に座って作業でき、足を使用する必要はなくなり足の指への負担を軽減できる。
又、請求項１と２により、テーブルが使用できず、床に座って草履を編む場合には、床上で請求項１の固定棒Ｂの両端１６の上に、靴下を履いたままの足を右左に片足ずつ軽く乗せて置くだけで、基台Ａと固定棒Ｂを固定でき、尚且つ、草履編器自体も足下に固定でき、編み手の足の指は使用しないので足の指への負担を軽減できる。本考案の草履編器は使用方法を若干変更するだけで、どこででも草履が編める。
【考案を実施するための最良の形態】
【０００６】
図１は草履の平面図である。草履着用者の足の裏を乗せる草履Ｋの本体１は芯紐Ｓと編紐Ｇからなり、芯紐Ｓに編紐Ｇを渡し掛けて編んで製作する。
【０００７】
図２は請求項１の編器を構成する基台Ａの斜視図である。この基台Ａは長さ25.0cm  幅2.0cm  高さ2.0cmの長方形状に形成されており、上部には、この基台Ａの長手方向に等間隔(両端に約1.0cmを残す)に4.5cm間隔で複数本直立する円柱の柱体直径1.0cm  高6.5cmの引掛棒２が6本直立し基台Ａに接着固定されている。
【０００８】
図３の平面図に示すように、草履の芯紐Ｓのル−プ状部３を一定幅にて引っ掛けられる引掛棒に、先ず左から引掛棒２ｂ、２ｃ、２ｄと廻し掛け、次に芯紐Ｓのループ状部4を右から引掛棒２ｃ、２ｄ、２ｅに廻し掛けてから，芯紐Ｓの両端５を手前の芯紐Ｓ１とＳ４からなる輪部の芯紐Ｓ６の下にくぐらせておく。この段階で草履の形を一定に保って編める準備ができる。もっと幅の広い草履を編む場合には引掛棒２の６本を使用し、ループ状部を左からは２ａ、２ｂ、２ｃ、２ｄに、右からは２ｃ、２ｄ、２ｅ、２ｆに廻し掛けるとよい。
【０００９】
図４は請求項１の固定棒Ｂの斜視図で、この固定棒Ｂは長さ約41.0cm  幅3.0cm  高さ0.6cmの長い平板状に形成されており、多少上下弓なりになっても割れにくく、若干可動性がある素材を使用している。この固定棒Ｂの長手方向には等間隔(両端に8.5cmを残す)に4.5cm間隔で直径1.3cmの各々の引掛棒が差し込まれる孔７を6個有する。
【００１０】
図５の斜視図に示すように、基台Ａとの間で草履の芯紐Ｓのループ状部３・４をはさむ固定棒Ｂの孔７の６個の孔に基台Ａの引掛棒２の６本を差し込むと、基台Ａとの間で草履の芯紐Ｓのループ状部３・４が挟まれ芯紐Ｓの外れがなくなり、作業を中断されることがなくなる。固定棒Ｂは図面においては平板状としているが、もちろん断面丸型でもよい。
【００１１】
基台Ａと固定棒Ｂとを押え手段を用いて、手前の輪部の押え手段の紐８部分を固定棒Ｂから突き出た基台Ａの引掛棒２ａ、２ｂ、２ｃ、２ｄ、２ｅ、２ｆの６本に廻し掛けて固定すると、基台Ａから固定棒Ｂは外れなくなり、安心して力を入れて草履の編目を詰んで草履を編める。
【００１２】
基台Ａは下部の両端に各1個ずつの直径1.0cmの貫通孔９を有し、この孔９に押え手段の紐の両端10を手前から片方ずつ通して、その先端１１にて紐の両端を結ぶと共に、紐の輪部12を、図６の金具13を用いて図７,図８に示すようにテーブルに設置した金具13の凹部14に掛けて草履編器をテーブル15上で保持させると、編み手は椅子に座って作業できるので足を使用する必要はなくなり足の指への負担を軽くする。金具が使えない場合には相対する椅子の背部などに紐をくくり付けてもよい。テーブルが使えない場所で、床に座って草履を編む場合には、足の指を使わずに請求項１の固定棒Ｂの両端16の上に靴下を履いたままの足を左右に片足ずつ軽く乗せて置くだけで、基台Ａと固定棒Ｂを固定でき、尚且つ、草履編み器自体も足下に固定でき、編み手の足の指は使用しないので足の指への負担を軽くする。
【００１３】
草履の編み始めは、まず基台Ａの引掛棒２に芯紐Ｓのループ状部３、４を廻し掛けて、引掛棒２に固定棒Ｂを差し込み、基台と固定棒の２つを押え手段の紐で固定し、基台Ａの下部の孔９に押え手段の紐の両端10を通して、先端で結んで、その紐の輪部12をテーブル15に設置した金具の凹部14に掛けて、草履編器をテーブル上で保持させる。
【００１４】
次に図９に示すように、テーブル上で、左手に芯紐Ｓの両端５の２本と手前の輪部６の中央を一緒に持ち、左手をそのまま手前方向に引っぱると芯紐Ｓの緩みがなくなり、4本の芯紐Ｓ１、Ｓ２、Ｓ３、Ｓ４はやや放射状の縦状に等間隔で並び、草履の編幅が等間隔になる。この後、右手で基台Ａと固定棒Ｂの両方を合わせるようにテーブル上で圧迫して芯紐Ｓのループ状部３、４を押さえるとその後の作業での芯紐Ｓのずれがなくなる。
【００１５】
次に、図10に示すように先ず手前の輪部の芯紐S６の中央部17に編紐Ｇを結びつける。次に、左手で芯紐Ｓの両端５を持ち、やや放射状に並んだ４本の縦状の芯紐S１、S２、S３、S４の間に編紐Ｇを交互にくぐらせ、芯紐Ｓの表側裏側に渡し掛けて編んでいく。例えば、まず編紐Ｇを左方向にして芯紐Ｓ２の表側に掛け、次に左端の芯紐Ｓ１の裏側にくぐらせて、芯紐Ｇを右から左に水平に渡す。次は編紐を右方向にして芯紐Ｓ１の表側に掛け、次は芯紐Ｓ２の裏側にくぐらせ、次は芯紐Ｓ３の表側に掛け、次は芯紐Ｓ４の裏側にくぐらせて、左から右へと水平に渡す。編紐Ｇが右端に来ると、次は左方向にして、芯紐の表側裏側と交互に掛けて、右から左へと水平に渡す。以降、この編み方である草履編みを繰り返すが、1段編むごとに右手の指を縦状の芯紐Ｓ１とＳ２、Ｓ２とＳ３、Ｓ３とＳ４の3個の隙間に差し入れて、手前方向に引き、編目を詰める。3段編んだところで左手を芯紐Ｓの両端５から離しても編紐は芯紐から抜け落ちないので、４段目からは、両手を使用して、編紐Ｇの渡し掛けと、編目の詰めの作業を行う。
【００１６】
図11はこの草履編みの繰り返し作業で、途中までできあがった草履Ｋの本体１である。
草履編みで出来上り寸法の約２cm前の段まで編み進んだら、草履編器の手前の輪部の押え手段の紐８をいったんはずし、固定棒Ｂもはずして、左の芯紐のループ状部３を引掛棒２b、２cに廻し掛け直し、右の芯紐のループ状部４を引掛棒２c、２dに廻し掛け直し、縦状の芯紐の間隔を狭くし、草履の編幅を狭まくする。再度、引掛棒２に固定棒Ｂを差し込み、手前の輪部の押え手段の紐８を引掛棒２に廻し掛けてから、出来上り寸法まで編む。最後に、編紐Ｇを芯紐Ｓ１、Ｓ２の２本に共に巻きつけた後、芯紐Ｓの両端５を１本ずつ静かに手前に引くと、最後の編目の段が引き締められて踵の形になり、草履Ｋの本体１ができる。
【図面の簡単な説明】
【００１７】
【図１】布草履の平面図
【図２】本考案の基台Ａの斜視図
【図３】本考案の基台Ａと芯紐Ｓとの関係の平面図
【図４】本考案の固定棒Ｂの斜視図
【図５】本考案の基台Ａと固定棒Ｂと押え手段の紐と芯紐Ｓの関係の斜視図
【図６】テーブルに設置する金具の斜視図
【図７】テーブルに設置した金具の斜視図
【図８】テーブルに設置した金具の斜視図
【図９】芯紐が縦状に並んだ平面図
【図１０】芯紐Ｓと編紐Ｇの関係の平面図
【図１１】製作途中の布草履
【符号の説明】
【００１８】
Ａ・・  基台  
Ｂ・・固定棒    
Ｓ・・芯紐      
Ｇ・・編紐
Ｋ・・草履    
１・・草履の着用者の足の裏が乗る本体
２・・引掛棒      
３・・ループ状部
４・・ループ状部
５・・芯紐の両端
６・・手前の輪部の芯紐
７・・孔
８・・紐
９・・貫通孔
10・・紐の両端
11・・紐の先端
12・・紐の輪部
13・・金具
14・・金具凹部
15・・テーブル
16・・固定棒の端
17・・編紐の結び目
【図１】
0003145630.tif 000003
【図２】
0003145630.tif 000004
【図３】
0003145630.tif 000005
【図４】
0003145630.tif 000006
【図５】
0003145630.tif 000007
【図６】
0003145630.tif 000008
【図７】
0003145630.tif 000009
【図８】
0003145630.tif 000010
【図９】
0003145630.tif 000011
【図１０】
0003145630.tif 000012
【図１１】
0003145630.tif 000013